(57)【要約】【課題】設置現場で組み立てと同時に取付作業が単一人でできると共に、取付後は情報を呈示する表示部を取り外すことなくメンテナンスが可能な表示装置を提供する。【解決手段】フレーム部１０と、フレーム部１０に立設する複数の脚部１１と、脚部１１の先端部に固定する表示パネル２０と、フレーム部１０に架設して表示パネルを裏面側から照射する照明具３０とで構成する。表示装置１は、フレーム部１０と表示パネル２０との間に十分な空間があり、脚１１ａ〜１１ｄ同士に上下左右の側板が設けられていない。このため、表示装置１を建物の壁面など所定の位置に取り付け設置した後、表示パネル２０を外すことなく表示パネル２０の裏側にある照明具３０の交換等を行なうことができる。【選択図】  図１
0003126966.tif 000002
【実用新案登録請求の範囲】
【請求項１】
フレーム部と、
該フレーム部に立設された複数の脚部と、
該脚部の先端部に固定された表示パネルと、
上記フレーム部に架設して固定され上記表示パネルを裏面側から照射する照明具と、を有し、
上記表示パネルに、文字，図形等から成る情報表示部の形状に沿って切り取るか又は該情報表示部を除く周囲部分を切り取ることで開口部が形成され、該開口部を塞ぐように表示パネル裏面に透光板が接合されて成ることを特徴とする、表示装置。
【請求項２】
前記フレーム部が、上下左右の各フレームを方形状に組んで成ると共に、該フレーム部の各接合部に同一長さの４本の脚部が立設され、該４本の脚部の先端部に前記表示パネルが接合されて成ることを特徴とする、請求項１に記載の表示装置。
【請求項３】
上下左右の各フレームを組み合わせて構成したフレーム部と、
該フレーム部の少なくとも各接合部に立設された複数の脚部と、
該複数の脚部の先端部に固定された表示パネルと、
上記左右又は上下のフレーム部に架設されて表示パネルを裏面側から照射する照明具と、を有し、
上記照明具は左右又は上下のフレーム部に設けたねじ穴に対してブラケットにて固定されて左右又は上下方向に架設され、
上記上下及び／又は左右フレームにはフランジがそれぞれ対向する側に延設されて、該フランジが壁面等の取付面に固定されるようになっており、
上記表示パネルに、文字，図形等から成る情報表示部の形状に沿って切り取るか又は該情報表示部を除く周囲部分を切り取ることで開口部が形成され、該開口部を塞ぐように表示パネル裏面に透光板が接合されて成ることを特徴とする、表示装置。
【請求項４】
前記透光板が乳白色又は彩色されたアクリル板で成ることを特徴とする、請求項１又は３に記載の表示装置。
【考案の詳細な説明】
【技術分野】
【０００１】
本考案は、表示パネルに表された広告情報などの種々の情報を斬新な方法で装飾するために、表示パネルの裏側から照明光を照射し、かつ取付壁面をも同時に照らすことで表示パネルを浮き立たせて表示し得る、装飾効果に富む表示装置に係り、とくに、組み立て並びに取付作業が単一人で行なえ、且つ、メンテナンスが容易な表示装置に関する。
【背景技術】
【０００２】
従来、店頭などに表示装置を取り付けることで、店名などその店に関する広告情報などを呈示している。例えば、表示装置は、金属板や木材やプラスチック板の表面に直接、所定の文字などが描かれ、所望の場所に取り付けられることで、顧客などの一般人にその店の情報を呈示している。また、表示装置には、例えばその縁部に沿ってＬＥＤのような光源を設け、表示装置の表面に描かれている情報を夜間でも視認することができるようにしたものもある。
【０００３】
一方、透光面に表示された文字や記号或いは図形などの情報表示部を内部の光源によって浮かび上がらせるようにした内照式の表示装置も、従来から種々の場所で用いられている。図６は、その一例を示した表示装置の斜視図である。図６に示されるように、この表示装置７０は、文字や数字などの情報を呈示する表示パネル７１を、箱体７２の前面あるいは前後両面に取り付け、箱体７２の内部に、この文字や数字等の情報表示部を明暗のコントラストとして浮かび上がらせる蛍光灯７３を設けたものである。
【考案の開示】
【考案が解決しようとする課題】
【０００４】
上述した従来の表示装置では、蛍光灯７３などの光源が箱体の内部に設けられている。このため、光源のメンテナンスを行うたびに、表示パネル７１を箱体７２から取り外す必要があった。従って、従来の内照式の表示装置７０では、光源のメンテナンスを行うときに手間がかかるという問題があった。また、このような箱型の表示装置の壁面等への設置工事は、表示装置が大型になると、装置自体の重量が増大し、壁面への取付作業を単一人で遂行することは不可能で、複数人の手による取付作業が必要であった。
【０００５】
本考案は、上記課題に鑑み、組み立て並びに壁面等への取付作業が簡単に行なえ、また、情報を呈示する表示パネルを取り外すことなく容易に照明具の清掃や交換などのメンテナンスが可能な表示装置を提供することを目的とする。
【課題を解決するための手段】
【０００６】
上記目的を達成するために、本考案に係る表示装置は、フレーム部と、フレーム部に立設された複数の脚部と、脚部の先端部に固定された表示パネルと、フレーム部に架設して固定され表示パネルを裏面側から照射する照明具と、を有し、表示パネルに、文字，図形等から成る情報表示部の形状に沿って切り取るか又は該情報表示部を除く周囲部分を切り取ることで開口部が形成され、この開口部を塞ぐように表示パネル裏面に透光板が接合されて成ることを特徴とする。上記フレーム部は、好ましくは、上下左右の各フレームを方形状に組んで成ると共に、フレーム部の各接合部に同一長さの４本の脚部が立設され、４本の脚部の先端部に表示パネルが接合されて成る。透光板は、好ましくは、乳白色又は彩色されたアクリル板で成る。
【０００７】
また、上記目的を達成するために、本考案の表示装置は、上下左右の各フレームを組み合わせて構成したフレーム部と、フレーム部の少なくとも各接合部に立設された複数の脚部と、該複数の脚部の先端部に固定された表示パネルと、左右又は上下のフレーム部に架設されて表示パネルを裏面側から照射する照明具と、を有し、照明具は左右又は上下のフレーム部に設けたねじ穴に対してブラケットにて固定されて左右又は上下方向に架設され、上下及び／又は左右フレームにはフランジがそれぞれ対向する側に延設されて、該フランジが壁面等の取付面に固定されるようになっており、表示パネルに、文字，図形等から成る情報表示部の形状に沿って切り取るか又は該情報表示部を除く周囲部分を切り取ることで開口部が形成され、この開口部を塞ぐように表示パネル裏面に透光板が接合されて成ることを特徴とする。
【考案の効果】
【０００８】
本考案に係る表示装置は、フレーム部とパネルとの間に十分な空間があり、脚部同士に上下左右の側板が設けられていない。このため、表示装置を建物の壁面など所定の位置に取り付け設置する際は、各部品を現場迄搬送して現場で組み立てながら、作業員１名だけで簡単に設置工事することができる。また、表示パネルの裏側にある照明具のメンテナンスを行なうような場合にも、情報を呈示する表示パネルを取り外すことなく簡単に付け替え作業が可能である。さらに、文字、図形等の情報表示部の形状を開口したパネルの裏側に、透光性を有する、例えば乳白色或いは所望の彩色を施したアクリル板を接合することにより、照明具の光が表示パネルの裏面に当たったときに、開口部が白く、又は施した各彩色で浮き上がって見えると同時に、上下左右の外縁から漏れ光が取付壁の周囲に出射され、表示パネル自体が浮き上がって装飾効果に優れた表示が可能になる。
【考案を実施するための最良の形態】
【０００９】
以下、図面を参照して本考案を実施するための最良の形態を説明する。
図１は本考案の実施形態に係る表示装置を示す分解斜視図である。本考案の表示装置１は、フレーム部１０と、フレーム部１０の各接合部に立設された脚部１１と、脚部１１の先端部で固定された表示パネル２０と、フレーム部１０に架設して固定された照明具３０と、から構成される。
【００１０】
フレーム部１０は、棒状材からなり、上フレーム１０ａ、右フレーム１０ｂ、下フレーム１０ｃ及び左フレーム１０ｄの各フレームを矩形状に接合してなる。上フレーム１０ａ及び下フレーム１０ｃは、対向する側にフランジ１３ａ，１３ｂを延設して、該フランジ１３ａ，１３ｂに通し穴１４を形成しておくとよい。各通し穴１４にビス５１を通して、表示装置１を取り付ける壁面の所定箇所にフレーム部１０を取り付けることができる。また、右フレーム１０ｂ、左フレーム１０ｄにも、対向する側にフランジを延設して、該フランジに通し穴を形成してもよい。右フレーム１０ｂ及び左フレーム１０ｄの中央部には、それぞれねじ穴１５が形成されていることで、後述するように照明具３０を取り付けやすくなる。図１の表示装置は、照明具３０を横にした状態で取り付けているが、縦にした状態で取り付けるときは、上フレーム１０ａ及び下フレーム１０ｃにねじ穴を形成する。
フレーム部１０は、図１に示すように、上フレーム１０ａ及び下フレーム１０ｃの長さが右フレーム１０ｃ及び左フレーム１０ｄの長さよりも長い横長の長方形状に限らず、正方形状、縦長の長方形状、その他多角形状、円形状などであってもよい。
【００１１】
脚部１１は、それぞれフレーム部１０の左上角部、右上角部、左下角部、右下角部を接合部として、フレーム部１０に垂直に立設されている。フレーム部１０の左上角部、右上角部、左下角部、右下角部の各接合部に立設されている脚部をそれぞれ１１ａ〜１１ｄとする。脚部１１ａ〜１１ｄの先端部１２ａ〜１２ｄには、ボルト１６のようなねじを形成しておくのが好ましい。
図１の表示装置１において、各接合部に立設されている各脚部１１ａ〜１１ｄの長さは同一であるが、各脚部１１ａ〜１１ｄの長さがそれぞれ異なってもよい。脚部の長さを異ならせて立設する場合、表示パネルは脚部の先端に取り付けられることから、平面状とはならず、曲面状など立体的に形成されることができる。脚部１１は棒状材からなり、上下左右の各フレーム１０ａ〜１０ｄを構成する棒状材と同じでも異なってもよい。フレーム部１０に立設される脚部１１は４本に限らず、取り付ける表示パネル２０の大きさや形状、フレーム部１０の形状により適宜増減してもよい。
【００１２】
表示パネル２０の大きさは、表示装置１を正面から見たときに、フレーム部１０及び照明具３０が見えなくなる程度の大きさであればよく、その形状は広告主の意向により定められる。
表示パネル２０には、脚部１１ａ〜１１ｄの上下左右の間隔と同様の間隔をおいて係合穴２１ａ〜２１ｄが設けられている。この係合穴２１ａ〜２１ｄを、脚部１１ａ〜１１ｄの先端部１２ａ〜１２ｄに引っ掛け、先端部１２ａ〜１２ｄに設けられているボルト１６に化粧ナット５３を螺合する。これにより、表示パネル２０は脚部１１の先端部１２に固定される。
【００１３】
表示パネルの一例について図を用いて説明する。
図２は、表示パネルの一例を示す図であり、（ａ）は表示パネルの正面図、（ｂ）は表示パネルの背面図である。
表示パネル２０は、係合穴２１及び文字、図形などの情報表示部の形状に一致するように、この部分を切り抜いて、開口部２２を形成したパネル２３と、乳白色のアクリル板２４とからなる。乳白色のアクリル板２４は、パネル２３の裏面からパネル２３と接合されている。ここで乳白色のアクリル板２４は、透光性を有する。このため、照明具の光が表示パネル２０の背面に当たったときに、表示パネル２０の正面から乳白色のアクリル板が見える開口部２２が白く浮き上がって見える。なお、アクリル板２４は乳白色に限ることなく、透光性を有するのであれば、赤、青、緑など所望の色彩を施して彩色したものであってもよい。この場合は、彩色された色彩で開口部、すなわち表示部が表示されることになり、装飾効果が一層向上する。
【００１４】
照明具３０は、フレーム部１０に架設するように固定され、表示パネル２０を裏側から照射する。照明具３０は、図１に示すように、右フレーム１０ｂ及び左フレーム１０ｄに架設するように固定される。このため照明具３０は、上フレーム１０ａ及び下フレーム１０ｃの長さよりも長い照明具３０を用いる。照明具３０は、上フレーム１０ａ及び下フレーム１０ｃに架設するように取り付けてもよい。この場合、照明具３０は、右フレーム１０ｂ及び左フレーム１０ｄの長さよりも長い照明具３０を用いる。また、表示装置１が屋外に設置される場合には、照明具３０に防水機能を施して雨水等による漏電を防止するとよい。
照明具３０は、本例では細長い蛍光灯を用いており、通し穴３２を有するブラケット３１により、右フレーム１０ｂ及び左フレーム１０ｄに取り付けられている。なお、表示パネル２０の背面側に設置される上記照明具３０は、表示パネル２０に隠されて正面側から見て露顕しないよう、表示パネル２０より短寸の蛍光灯などを用いるのが望ましい。照明具３０は、表示装置１の大きさに応じて１基又は複数基取り付けられる。
【００１５】
次に、本考案の表示装置の壁面への取付方法について図を用いて説明する。
本考案の表示装置は、完成品の状態で現場まで搬送したうえで、壁面へ取り付けるようにしてももちろん構わないが、フレーム部、脚部、照明具及び表示パネルの各部品をそのまま現場まで搬送して、設置現場において組み立てを行いながら、取付作業を遂行することが可能で、且つ有利である。これにより、大型の表示装置であっても、単一人の作業者で組み立て及び設置作業を完遂することができる。図３は現場で本考案の表示装置を組み立てながら、壁面へ取り付け設置する方法の一例を示すものである。
図３（ａ）に示すように、まず、フレーム部１０を壁面４０に取り付ける。取り付けるときは、あらかじめ壁面４０にフレーム部１０の取り付ける位置を決めておく。続いて、電動ねじ回し工具５０を用いて、フランジ１３ａ，１３ｂの通し穴１４に、ビス５１を通す。これにより、フレーム部１０が壁面４０に固定される。
【００１６】
フレーム部１０を壁面４０に固定した後、図３（ｂ）に示すように、照明具３０を右フレーム１０ｂ及び左フレーム１０ｄに取り付ける。取り付けるときは、通し穴３２を右フレーム１０ｂ、左フレーム１０ｄのの中央部に設けられているねじ穴（図示せず）の位置に合わせる。続いて、電動ねじ回し工具５０を用いて通し穴３２にビス５２を通す。これにより照明具３０が、右フレーム１０ｂ及び左フレーム１０ｄに架設される。
【００１７】
最後に、図３（ｃ）に示すように、表示パネル２０を取り付ける。取り付ける際、脚部１１ａ〜１１ｄの先端部１２ａ〜１２ｄに対して表示パネル２０の穴２１ａ〜２１ｄを引っ掛ける。すると先端部１２に形成されたボルト１５が表示パネル２０から突出する。次いで、図４（ｄ）のように、穴２１から突出したボルト１５に化粧ナット５２を螺合する。これにより表示パネル２０は脚部１１の先端部１２に固定される。
上記した３工程だけで、表示装置の壁面への設置工事が完了する。
以上のように、本考案の表示装置１は、設置現場において組立て作業と取付作業とを同時に行なうことができるため、表示装置１を、工場で一式組み立ててから取り付ける現場まで輸送する手間が省ける。さらに、この場合、表示装置１が大型であるときは、垂直な壁面への取付工事となるため複数人での作業が必要となるが、本考案にあっては、表示装置が大型であっても、各部品を順次組付けていくことができるので、単一人での作業で完遂することが可能である。
ここで、脚部１１は、フレーム部１０を壁面４０に取り付ける前にあらかじめフレーム部１０の各接合部に立設されているが、これに限定されない。
【００１８】
図４は、本考案の表示装置を壁面に取り付けたときの概略図であり、それぞれ、（ａ）は側面図、（ｂ）は平面図である。壁面４０に取り付けられた表示装置１は、フレーム部１０と表示パネル２０との間に十分な空間があり、脚部１１ａ〜１１ｄ同士に上下左右の側板が設けられていない。このため、表示装置１を建物の壁面など所定の位置に取り付け設置した後、表示パネル２０をはずすことなく表示パネル２０の裏側にある照明具３０の蛍光灯などを交換してメンテナンスを行なうことができる。
【００１９】
図５は本考案の表示装置の他の実施形態を表す概略図であり、（ａ）は側面図、（ｂ）は平面図を示す。表示装置２は、脚部１１ａ，１１ｂ上に透明板６０が設けられている点で図１の表示装置１と異なる。表示装置２を屋外の壁面に取り付ける場合、図５のように脚部１１ａ，１１ｂ上に透明板６０を設けることにより透明板６０が水よけの役割を果たす。特に照明具３０が防水処理を十分施せないようなものであっても、透明板６０を脚部１１ａ，１１ｂの上側に設けることで雨水等による漏電を防止することができる。
【００２０】
本考案の表示装置は、図４や図５に示されるように、表示パネル２０が壁４０に対して平行であるが、これに限定されない。例えば、脚部１１ａや１１ｂの長さを、脚部１１ｃや１１ｄの長さよりも長めにすることで、表示パネル２０を手前側に傾けた状態で、表示装置１を取り付けることもできる。
【００２１】
以上説明したように、表示装置１は、フレーム部１０と、フレーム部１０に立設される複数の脚部１１と、脚部１１の先端部で固定される表示パネル２０と、フレーム部１０に架設して固定される照明具３０と、から構成されるので、表示装置１は、フレーム部１０と表示パネル２０との間に十分な空間があり、表示パネル２０をはずさずに照明具３０のメンテナンスをすることができる。また、照明具３０は、蛍光灯に限らず他の照明具を用いても容易にメンテナンスをすることができる。
なお、上記実施の形態では、文字，数字，図形等で成る情報表示部はパネルから切り抜かれて開口部２２として形成されているが、これとは逆に、情報表示部以外をパネルから切り取って、この部分を開口部２２として形成してもよい。この場合は、情報表示部以外の周囲が透光性を有して、乳白色又は適宜の色彩で光ることになる。
【図面の簡単な説明】
【００２２】
【図１】本考案の実施形態に係る表示装置を示す分解斜視図である。
【図２】本考案の表示装置を構成する表示パネルの一例を示す概略図であり、（ａ）は正面図、（ｂ）は背面図である。
【図３】現場で本考案の表示装置を組み立てながら、壁面へ取り付け設置する方法の一例を示す図である。
【図４】本考案の表示装置を壁面に取り付けたときの概略図で、それぞれ、（ａ）は側面図、（ｂ）は平面図である。
【図５】本考案の表示装置の他の実施形態を示す概略図であり、それぞれ、（ａ）は側面図、（ｂ）は平面図である。
【図６】従来の表示装置を示す斜視図である。
【符号の説明】
【００２３】
１，２  表示板
１０  フレーム部
１０ａ  上フレーム
１０ｂ  右フレーム
１０ｃ  下フレーム
１０ｄ  左フレーム
１１，１１ａ〜１１ｄ  脚部
１２ａ〜１２ｄ  脚の先端部
１３ａ，１３ｂ  フランジ
１４  通し穴
１５  ねじ穴
１６  ボルト
２０  表示パネル
２１ａ〜２１ｄ  係合穴
２２  開口部
２３  パネル
２４  乳白色のアクリル板
３０  照明具
３１  ブラケット
３２  通し穴
４０  壁面
５０  電動ねじ回し工具
５１，５２  ビス
５３  化粧ナット
６０  透明板
【図１】
0003126966.tif 000003
【図２】
0003126966.tif 000004
【図３】
0003126966.tif 000005
【図４】
0003126966.tif 000006
【図５】
0003126966.tif 000007
【図６】
0003126966.tif 000008
【手続補正書】
【提出日】平成18年9月7日(2006.9.7)
【手続補正１】
【補正対象書類名】図面
【補正対象項目名】図２
【補正方法】変更
【補正の内容】
【図２】
0003126966.tif 000009